【事件の表示】
　特願２００４−　２０８３２「硬貨選別装置」拒絶査定不服審判事件〔平成１７年　８月１１日出願公開、特開２００５−２１５９２１〕について、次のとおり審決する。
【結　論】
　本件審判の請求は、成り立たない。
【理　由】
１　手続の経緯・本願発明
　この出願は、平成１６年１月２９日の特許出願であって、その請求項１乃至３に係る発明は、願書に添付した明細書、特許請求の範囲及び図面の記載からみて、その特許請求の範囲の請求項１乃至３に記載された事項により特定されるとおりのものと認めるところ、請求項１に係る発明（以下「本願発明」という。）は、次のとおりである。
「自動販売機の外部から受け入れた硬貨を選別し、種類ごとに収容する一方、払出命令に基づいて、前記自動販売機の外部に硬貨を払い出す硬貨選別装置において、
　硬貨を受け入れる硬貨投入口を一体に有し、当該硬貨投入口が前記自動販売機の外表面に表出する態様で自動販売機に取り付けたことを特徴とする硬貨選別装置。」
　
２　引用例記載事項
　これに対して、原査定の拒絶の理由に引用されたこの出願前に頒布された刊行物である実願昭６３−１５９３８７号（実開平２−８０８８０号）のマイクロフィルム（以下「引用例」という。）には、以下のとおり記載されている。
　
(１)　明細書第１頁第１９行−第２頁第１行
「この考案は、商品取出口・金銭取出口等を設けた下方部分を容易に交換できるようにした、自動販売機の前面扉に関する。」
　
(２)　明細書第８頁第１７行−第１０頁第１７行
「第１図にかえって、本体１の前面には、内扉１６をヒンジ１７により回動できるように取り付けている。そして、他端側にはハンドル１８を取り付け、ハンドル１８の先端にはロックピンを取り付けている。内扉１６の下方寄りには、横方向から見るとほぼＬ字形をしたカバー１９を取り付けている。カバー１９の突出した部分には、コイン投入口・紙幣投入口・投入金額表示面・釣銭切れランプ・金銭返却ボタン等を設けている。それらの下方にはマイコンも設けている。そして、カバー１９の内部には、投入された金銭を受け入れて釣銭処理をしたり商品を送り出したりするための各種機構・各種制御機器・配線等を組み込んでいる。また、上パネル７に取り付けたプラグ１０やコネクタ１１を連結するためのコンセントやコネクタも取り付けている。更に、カバーｌ９内から二つのコードを引き出し、それらの先端にそれぞれプラグやコネクタを取り付け、それらをそれぞれ本体１に取り付けたコンセントやコネクタに連結している。
　第２図に示したものは、次のようにして組み立てる。まず、フレーム５の下方の開口部に下パネル１２をはめ、四隅の回動片１５をそれぞれ回すと、フレーム５に下パネル１２が取り付けられる。そして、フレーム５の上方の開口部に上パネル７をはめ、四つの回動片９を回すと、フレーム５に上パネル７が取り付けられる。次に、フレーム５を、本体１の支持板２と底板３との間に回動できるように取り付ける。最後に、上パネル７に取り付けたプラグｌ０やコネクタ１１を、内扉１６のカバー１９に取り付けたコンセントやコネクタに連結すると、第１図に示す状態になる。
　ここで、前面扉４を閉めると、第３図に示す状態になる。上パネル７の前面には、ディスプレイ缶等を陳列する陳列部を形成し、商品選択ボタンも配置している。また、下パネル１２の開口部１４からは、内扉１６に取り付けたカバー１９の前面に形成したコイン投入口・紙幣投入口・投入金額表示面・釣銭切れランプ・金銭返却ボタン等が露出している。そして、下パネル１２の前面には、商品取出口・金銭返却口等も設けている。」
　
　また、上記摘記事項より、カバー（１９）にコイン投入口、投入金額表示面、金銭返却ボタン等が設けられ、カバー（１９）の内部に投入された金銭を受け入れて釣銭処理をしたり商品を送り出したりするための各種機構・各種制御機器・配線等が組み込まれていることから、カバー（１９）の内部に、自動販売機の外部から受け入れたコインを選別する機構、払出命令に基づいて前記自動販売機の外部にコインを払い出す機構が組み込まれていることは、技術常識より明らかである。
　
　以上のとおりであるので、引用例には、本願発明に照らすと、次の事項が記載されていると認める。
「自動販売機の外部から受け入れたコインを選別する機構、払出命令に基づいて前記自動販売機の外部にコインを払い出す機構を有する装置において、
　コインを選別する機構とコインを払い出す機構とが内部に組み込まれているカバー（１９）にコインを受け入れるコイン投入口を設け、当該コイン投入口が下パネル（１２）の開口部（１４）から露出する態様でカバー（１９）を自動販売機の内扉（１６）に取り付けた装置。」（以下「引用例記載の発明」という。）
　
３　対比
　本願発明と引用例記載の発明とを対比する。
　引用例記載の発明の「コイン」は、本願発明の「硬貨」に相当しており、以下同様に、「コイン投入口が下パネルの開口部から露出する態様」は「硬貨投入口が自動販売機の外表面に表出する態様」に、「自動販売機の内扉に取り付け」は「自動販売機に取り付け」にそれぞれ相当していることが明らかである。
　引用例記載の発明の「自動販売機の外部から受け入れたコインを選別する機構、払出命令に基づいて前記自動販売機の外部にコインを払い出す機構を有する装置」と、本願発明の「自動販売機の外部から受け入れた硬貨を選別し、種類ごとに収容する一方、払出命令に基づいて、前記自動販売機の外部に硬貨を払い出す硬貨選別装置」とは、「自動販売機の外部から受け入れた硬貨を選別する一方、払出命令に基づいて、前記自動販売機の外部に硬貨を払い出す装置」である限りにおいて一致する。
　
　以上のとおりであるので、両者は、次の点で一致している。
「自動販売機の外部から受け入れた硬貨を選別する一方、払出命令に基づいて、前記自動販売機の外部に硬貨を払い出す装置において、
　硬貨を受け入れる硬貨投入口が前記自動販売機の外表面に表出する態様で自動販売機に取り付けた装置。」
　
　そして、両者は、次の点で相違している。
　本願発明では、硬貨選別装置が「硬貨を選別し、種類ごとに収容する一方、払出命令に基づいて、自動販売機の外部に硬貨を払い出す」もので、硬貨投入口を一体に有するものであるのに対し、引用例記載の発明では、「硬貨を選別する機構、払出命令に基づいて前記自動販売機の外部に硬貨を払い出す機構」を有するものの、その余は明らかでない点。
　
４　相違点についての検討
　上記相違点について検討する。
　硬貨の選別において、選別した硬貨を種類ごとに収容することは、例示するまでもなく、従来周知である。
　装置を構成する各要素を一体とするか否かは、組立・製造等の観点から、必要に応じて適宜決定する設計的事項である。
　また、装置全体を構成する各要素をユニット化することは、例えば、特開平７−２９０５５号公報に記載されているように従来周知である。
　一体化、ユニット化に際し、どの要素を組み合わせるかは、必要に応じて適宜決定する設計的事項であるところ、要素の関連性を考慮することが自然である。
　引用例記載の発明が、周知の硬貨収容機構を採用する場合において、硬貨は、カバーの硬貨投入口から硬貨選別機構を経て、種類ごとに収容され、その後、払い出すものであるから、関連性を考慮し、硬貨投入口、選別機構、収容機構、払出機構を一体化することに格別の困難性はない。
　しかも、「払出機構」は、利用者が硬貨を取り出すため、自動販売機の外表面に表出させる必要があるから、この点からも、硬貨投入口、選別機構、収容機構、払出機構を一体化することは合理性がある。
　そして、この一体化されたものは、本願発明の「硬貨選別装置」ということができる。
　　
　請求人は、審判請求理由で、以下のとおり主張する。
「コイン処理装置１２（硬貨選別装置）に限ってのみ、開口１４から露出するコイン投入口（カバー９の突出した部分に設けたコイン投入口）を一体に有するものと想到することは当業者といえども困難なものであります。・・・。かかる点、本願請求項１の発明においては前記相違点ａの構成を採用したことにより、自動販売機の外表面に別途硬貨投入口を設ける必要がなく、また、従来の自動販売機のように、自動販売機の外表面に設けた硬貨投入口から硬貨選別装置に至る通路を必要としないので、返却口を硬貨投入口に近づけることができ、広範囲の利用者が使い易いように配慮した（ユニバーサルデザインに対応した）自動販売機を提供できるという各引用文献から予想することのできない格別の効果を奏するものであります。」
　しかし、一体化、ユニット化する部材を、硬貨選別装置と硬貨投入口とに特定した点は、上記のとおり格別の困難性はない。
　「返却口を硬貨投入口に近づけることができ、広範囲の利用者が使い易い」なる作用効果は、引用例記載の発明及び上記従来周知の事項より、当業者が予測できる程度のものであって、格別のものではない。
　よって、請求人の主張は採用できない。
　
５　むすび
　以上のとおり、本願発明は、引用例記載の発明及び上記従来周知の事項に基づいて当業者が容易に発明をすることができたものであるから、特許法第２９条第２項の規定により特許をすることができない。
　したがって、この出願の請求項２及び３に係る発明について判断するまでもなく、この出願は拒絶すべきものである。
　よって、結論のとおり審決する。